(57)【要約】      （修正有）【課題】セキュリティの向上を図ると共に、ユーザに対して、より利用のし易い、セキュアな撮影装置、セキュリティ解除方法、及びプログラムを提供する【解決手段】ユーザは、撮影装置の液晶ディスプレイに表示されたセキュリティ解除画面６００に対して、解除画像データ表示領域６０１に表示された画像データに触れることで当該画像データを選択状態とし、選択状態を保ったまま、操作方向の指示入力を受付け、選択された画像データ及び操作方向が正式なものであれば、撮影装置に対するセキュリティを解除する。【選択図】図７
2014115982.tif 000002
【特許請求の範囲】
【請求項１】
画像データに対して正式な画像データと、前記正式な画像データに対する操作方向を記憶する正式画像データ記憶手段と、
前記正式画像データ記憶手段によって記憶された正式な画像データと、前記正式な画像データと異なる画像データを示すダミー画像データを表示する表示手段と、
前記表示手段によって表示された正式な画像データ及びダミー画像データのうち少なくとも１以上の画像データ及び操作方向の指定を受付ける操作方向受付手段と、
前記操作方向受付手段によって指定を受付けた画像データ及び操作方向が、前記正式な画像データ及び前記画像データに対する操作方向と同じ場合、セキュリティを解除するセキュリティ解除手段と、
を備えたことを特徴とする撮影装置。
【請求項２】
前記正式な画像データ及びダミー画像は、撮影して得られた画像データからの選択を受付ける選択受付手段を備えたことを特徴とする請求項１に記載の撮影装置。
【請求項３】
前記正式画像データ記憶手段は、前記正式な画像データと類似する画像データを前記ダミー画像と見做して記憶することを特徴とする請求項１に記載の撮影装置。
【請求項４】
撮影装置におけるセキュリティ解除方法であって、
前記撮影装置の表示手段は、画像データに対して正式な画像データと、前記正式な画像データに対する操作方向を記憶する正式画像データ記憶手段によって記憶された正式な画像データと、前記正式な画像データと異なる画像データを示すダミー画像データを表示する表示ステップ、
前記撮影装置の操作方向受付手段は、前記表示ステップによって表示された正式な画像データ及びダミー画像データのうち少なくとも１以上の画像データ及び操作方向の指定を受付ける操作方向受付ステップ、
前記撮影装置のセキュリティ解除手段は、前記操作方向受付手段によって指定を受付けた画像データ及び操作方向が、前記正式な画像データ及び前記画像データに対する操作方向と同じ場合、セキュリティを解除するセキュリティ解除ステップ、
を含むことを特徴とするセキュリティ解除方法。
【請求項５】
撮影装置において読取実行可能なプログラムであって、
前記撮影装置を、
画像データに対して正式な画像データと、前記正式な画像データに対する操作方向を記憶する正式画像データ記憶手段によって記憶された正式な画像データと、前記正式な画像データと異なる画像データを示すダミー画像データを表示する表示手段と、
前記表示手段によって表示された正式な画像データ及びダミー画像データのうち少なくとも１以上の画像データ及び操作方向の指定を受付ける操作方向受付手段と、
前記操作方向受付手段によって指定を受付けた画像データ及び操作方向が、前記正式な画像データ及び前記画像データに対する操作方向と同じ場合、セキュリティを解除するセキュリティ解除手段と、
を備えたことを特徴とするプログラム。
【発明の詳細な説明】
【技術分野】
【０００１】
撮影装置におけるセキュリティの設定機能に関する。
【背景技術】
【０００２】
近年、セキュリティの重要性が問われており、通常、各機器を利用する際には、利用者を特定するためのユーザ情報や英数字等を用いたパスワードを入力させて認証が通ると、当該機器の利用を行うことが可能な仕組みが運用されている。
【０００３】
このような運用を行っていると、ユーザが利用する機器が増えるに伴い、各機器で利用するパスワードも増え、ユーザは、各機器で利用するパスワードを覚えておくか、あるいは、パスワードを忘れないため何らかの記録媒体へメモ書きとして残しておく等の対応が必要となる。
【０００４】
しかしながら、ユーザは、機器を利用するに当たり、その機器に適したパスワードを忘れたり、パスワードを書き込んだ記録媒体を紛失し、利用すべくパスワードが不明となるといったような問題が生じる。
【０００５】
ユーザにとっては、パスワードを覚えていることが、各機器を利用する上では、セキュリティ上、好ましいとなされるが、英数字の組み合わせでは、記憶に残り難いこともあり、更には、所定数以上の長いパスワードを必要とする場合、一層、記憶に残り難い。
【０００６】
更に、機器がデジタルカメラ等の場合、デジタルカメラの非常に狭いＴＦＴ領域に表示された英数字を示すキーに対して、カーソルキーを用いて選択して入力させる、カーソルキーを押下することで入力対象とする英数字の表示を切り替えて、入力したい英数字を選択する態様では、操作性といった観点から、使いずらさ、といった問題を払拭することは難しい。
【０００７】
そこで、パスワードに英数字を用いずに、一般的に、印象に残りやすいと称されるように、複数の画像データに対して、ユーザ選択された画像を用いて、機器の利用をロックするか否かを判定する方法が提示されている（例えば、特許文献１参照）。
【先行技術文献】
【特許文献】
【０００８】
特開２００６−１０１０４６号公報
【発明の概要】
【発明が解決しようとする課題】
【０００９】
しかしながら、特許文献１に記載の技術は、ロック設定を行うにあたり、２行３列からなる領域に対して、任意の領域及び当該領域に割り当てるための画像を選定して、割り当てを行うことで、当該ロック設定を行う。
【００１０】
以後、ロック解除するにあたり、ロック設定時と同様に、任意の領域及び当該領域に割り当てるための画像を選定して、割り当てを行い、ロック設定時とロック解除時と、割り当てた領域における画像が等しい時に、ロックを解除するものである。
【００１１】
このような態様をとれば、ユーザは、ロック設定時における領域と当該領域に割り当てた画像の組み合わせを記憶しておく必要があり、選択対象となる画像の種類が増加する（あるいは領域の数）につれて、その組み合わせが増大し、記憶し難い、といった問題が生じる。
【００１２】
特に、対象となる画像は、セキュリティ向上、といった観点からすると、適宜、新たなものに切り替える必要があり、このような運用を行うと、ユーザは、ロック解除時に、ロック設定時における領域と当該領域に割り当てた画像の組み合わせを再現するために、適切に記憶がなされているか否かを判断することが難しい。
【００１３】
よって、本願発明では、セキュリティの向上を図ると共に、ユーザに対して、より利用のし易い、セキュアな撮影装置、セキュリティ解除方法、及びプログラムを提供することである。
【課題を解決するための手段】
【００１４】
上記目的を達成するための第１の発明は、画像データに対して正式な画像データと、前記正式な画像データに対する操作方向を記憶する正式画像データ記憶手段と、前記正式画像データ記憶手段によって記憶された正式な画像データと、前記正式な画像データと異なる画像データを示すダミー画像データを表示する表示手段と、前記表示手段によって表示された正式な画像データ及びダミー画像データのうち少なくとも１以上の画像データ及び操作方向の指定を受付ける操作方向受付手段と、前記操作方向受付手段によって指定を受付けた画像データ及び操作方向が、前記正式な画像データ及び前記画像データに対する操作方向と同じ場合、セキュリティを解除するセキュリティ解除手段と、を備えたことを特徴とする撮影装置である。
【００１５】
上記目的を達成するための第２の発明は、撮影装置におけるセキュリティ解除方法であって、前記撮影装置の表示手段は、画像データに対して正式な画像データと、前記正式な画像データに対する操作方向を記憶する正式画像データ記憶手段によって記憶された正式な画像データと、前記正式な画像データと異なる画像データを示すダミー画像データを表示する表示ステップ、前記撮影装置の操作方向受付手段は、前記表示ステップによって表示された正式な画像データ及びダミー画像データのうち少なくとも１以上の画像データ及び操作方向の指定を受付ける操作方向受付ステップ、前記撮影装置のセキュリティ解除手段は、前記操作方向受付手段によって指定を受付けた画像データ及び操作方向が、前記正式な画像データ及び前記画像データに対する操作方向と同じ場合、セキュリティを解除するセキュリティ解除ステップ、を含むことを特徴とするセキュリティ解除方法である。
【００１６】
上記目的を達成するための第２の発明は、撮影装置において読取実行可能なプログラムであって、前記撮影装置を、画像データに対して正式な画像データと、前記正式な画像データに対する操作方向を記憶する正式画像データ記憶手段によって記憶された正式な画像データと、前記正式な画像データと異なる画像データを示すダミー画像データを表示する表示手段と、前記表示手段によって表示された正式な画像データ及びダミー画像データのうち少なくとも１以上の画像データ及び操作方向の指定を受付ける操作方向受付手段と、前記操作方向受付手段によって指定を受付けた画像データ及び操作方向が、前記正式な画像データ及び前記画像データに対する操作方向と同じ場合、セキュリティを解除するセキュリティ解除手段と、を備えたことを特徴とするプログラムである。
【発明の効果】
【００１７】
本発明によれば、ユーザが、撮影装置を利用する際に、複数の画像データから適切な画像データとその画像データに対する操作方向を用いて、セキュリティの解除を行うことで、セキュリティの向上を図ると共に、ユーザに対して、より利用のし易い、セキュアな撮影装置の提供が可能となる、という効果を奏する。
【図面の簡単な説明】
【００１８】
【図１】本発明の実施形態に係る撮影装置のハードウェア構成を示す構成図である。
【図２】本発明の実施形態に係るメニュー画面の構成を示す構成図である。
【図３】本発明の実施形態において、セキュリティ解除用画像を登録するための登録画面の構成を示す構成図であり、登録対象となるセキュリティ解除用画像が選択されたことを示している。
【図４】本発明の実施形態において、セキュリティ解除用画像を登録するための登録画面の構成を示す構成図であり、登録対象となるセキュリティ解除用画像に対して操作方向が選択されたことを示している。
【図５】本発明の実施形態において、登録対象となるセキュリティ解除用画像を確認するための確認画像面である。
【図６】本発明の実施形態において、登録対象となるセキュリティ解除用画像を所定のフォルダへ記憶する処理を行っていることを示すための説明図である。
【図７】本発明の実施形態において、ユーザがセキュリティを解除する際に用いるセキュリティ解除画面の構成を示す構成図である。
【図８】本発明の実施形態に係るメニュー画面の構成を示す構成図である。
【図９】本発明の実施形態において、セキュリティ解除を行うために選択した画像データと操作方向に誤りがあった際に出力する警告画面の構成を示す構成図である。
【図１０】本発明の実施形態において、セキュリティ解除用画像を登録するための登録画面の構成を示す構成図であり、選択されたセキュリティ解除用画像が削除されたことを示している。
【図１１】本発明の実施形態に係る撮影装置におけるセキュリティ解除用画像の登録を行う処理を示すフローチャートである。
【図１２】本発明の実施形態に係る撮影装置におけるセキュリティ解除用画像の登録を行う詳細な処理を示すフローチャートである。
【図１３】本発明の実施形態に係る撮影装置におけるセキュリティの解除を行う処理を示すフローチャートである。
【図１４】本発明の実施形態に係る撮影装置における各処理で用いるためのテーブル構成を示す構成図である。
【図１５】本発明の実施形態に係る撮影装置におけるセキュリティ解除用画像の登録を行う処理を示すフローチャートである。
【図１６】本発明の実施形態に係る撮影装置におけるセキュリティの解除を行う処理を示すフローチャートである。
【図１７】本発明の実施形態において、機密性の高いアプリケーションの選択を行うための重要アプリケーション選択画面の構成を示す構成図である。
【図１８】本発明の実施形態に係る撮影装置における各処理で用いるためのテーブル構成を示す構成図である。
【図１９】本発明の実施形態に係る撮影装置におけるセキュリティ解除用画像の登録を行う処理を示すフローチャートである。
【図２０】本発明の実施形態に係る撮影装置におけるセキュリティ解除用画像の登録を行う詳細な処理を示すフローチャートである。
【図２１】本発明の実施形態に係る撮影装置におけるセキュリティの解除を行う処理を示すフローチャートである。
【図２２】本発明の実施形態において、セキュリティ設定を行うアプリケーションを選択するためのセキュリティ設定アプリケーション選択画面の構成を示す構成図である。
【図２３】本発明の実施形態に係る撮影装置における各処理で用いるためのテーブル構成を示す構成図である。
【図２４】本発明の実施形態におけるメニュー画面の構成を示す構成図である。
【図２５】本発明の実施形態において、セキュリティ設定を行うアプリケーションを選択するためのセキュリティ設定アプリケーション選択画面の構成を示す構成図である。
【発明を実施するための形態】
【００１９】
［第１の実施形態］
【００２０】
以下、図面を参照して、本発明の実施形態を詳細に説明する。まず、図１を参照して、本発明を実施する撮影装置１００のハードウェア構成について説明する。
【００２１】
撮影装置１００は、いわゆるデジタルカメラから成るが、このような機器に限定されることなく、情報処理装置においても、本発明は実現することが可能である。
【００２２】
撮影装置１００は、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００２３】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００２４】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、ＬＥＤドライバ１２８、および操作部１２０に接続されている
【００２５】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００２６】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００２７】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。
【００２８】
電子ズーム処理部１０７は、例えば、撮影された１６００×１２００ドットの画像から中央の１０２４×７６８ドットの画像を切り出し、データ補間を行いながら１６００×１２００ドットのサイズに拡大することができる。
【００２９】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００３０】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００３１】
バッファメモリ１１１には、画像処理部１０４で画像処理が行われる際に、一時的に画像データが保存される。フラッシュＲＯＭ１１２には、撮影装置１００の各種設定情報や、後述するユーザ認証情報が保存される。
【００３２】
Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００３３】
カードホルダ１１４は、記録媒体であるメモリカード１１５を撮影装置１００に着脱可能にする機構を備えると共に、メモリカード１１５との間でデータ通信が可能な電気接点を備える。
【００３４】
また、カードホルダ１１４は、撮影装置１００で利用される記録媒体の種類に応じた構造を有する。メモリカード１１５は、フラッシュメモリなどの半導体記憶素子を内蔵し、カードホルダ１１４に着脱可能なカード型の記録媒体である。
【００３５】
メモリカード１１５には、撮影装置１００で撮影して得られた画像データや撮影装置１００に対してセキュリティを解除する際に用いるための解除用画像データを記録することができる。
【００３６】
メモリカード１１５へ画像データを記録するにあたって、解除用画像データと撮影して得られた画像データとを識別して、メモリカード１１５の其々異なるフォルダへ記憶しておく構成を備えている。
【００３７】
ディスプレイドライバ１１６は、システムコントローラ１１０から出力される画像データを液晶ディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズを液晶ディスプレイ１１７の表示可能エリアのサイズに適したサイズに変換する処理を行う。
【００３８】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、システムコントローラ１１０から出力される命令に従いランプ１２９の制御を行う。
【００３９】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００４０】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００４１】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードへの切替方法については、閲覧ボタン１２６の押下に限定されず、液晶ディスプレイ１１７上のタッチパネルの特性を生かした移行方法であってもよい。
【００４２】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
【００４３】
メモリカード１１５から読み出された画像データは、Ｉ／Ｆ回路１１３およびシステムコントローラ１１０を介して、ディスプレイドライバ１１６へ入力される。ディスプレイドライバ１１６は、入力された画像データを液晶ディスプレイ１１７に表示させる。
【００４４】
カーソルキー１２４は、ユーザが撮影装置１００に対する所定の指示や機能選択を行うためのキーである。ユーザは、カーソルキー１２４により、撮影装置１００に対する各種設定情報やユーザ認証情報などの操作入力を行うことができる。
【００４５】
また、カーソルキー１２４により、液晶ディスプレイ１１７にメニュー画面や撮影装置１００に対して各種設定情報を設定するための画面を表示したり、撮影装置１００が有する所定の機能を選択することができる。
【００４６】
さらに、カーソルキー１２４により、撮影装置１００で撮影された画像データを、液晶ディスプレイ１１７上に表示させた解除用画像データ登録画面（詳細後述）に表示させ、解除用画像データ（詳細後述）の登録を行うことができる。
【００４７】
なお、画像データの表示方法としては、液晶ディスプレイ１１７上に撮影した画像を１枚のみ表示する構成に限定されず、サムネイル画像を含む複数の画像を表示するように構成してもよい。
【００４８】
また、表示されている画像データの切り替えについては、カーソルキー１２４の押下に限らず、他のボタンの押下などの一般的な方法を利用して切り替えられる構成にしてもよい。また、解除用画像データ登録画面（詳細後述）で、登録した解除用画像データ（詳細後述）の削除を行える構成を備える。
【００４９】
更に、カーソルキー１２４により、撮影装置１００で撮影された画像データを、液晶ディスプレイ１１７上に表示させたセキュリティ解除画面（詳細後述）の解除用画像データ（詳細後述）の選択、及び操作方向を指示入力することができる。
【００５０】
これらのカーソルキー１２４を用いた入力を代替するものとして、液晶ディスプレイ１１７のタッチパネルの特性を生かして、ユーザが指などで直接触れることにより、入力させることも可能である。
【００５１】
レンズ制御部１２７は、レンズ１０１のレンズに対して、ズーム、フォーカス、絞り等の制御を行う。また、撮影装置１００は、被写体を撮像して画像データを得る撮影モードと当該撮影モードで得た画像データを表示する閲覧（再生）モードとを備える。
【００５２】
なお、音声についてはマイクやスピーカを用いることで、撮影装置１００と同様に記録、及び再生が可能である。また、映像（動画）記録時には、通常音声記録も同時に行われ、圧縮部１０８および伸長部１０９で、映像と音声が多重化される。
【００５３】
また、撮影装置１００における撮影動作について図１を用いて説明する。まず、ユーザが電源スイッチ１２１を操作し、撮影装置１００の電源をＯＮにする。すると、撮影装置１００に内蔵されているバッテリー（不図示）から各回路へ電源供給されて、撮影装置１００の起動処理（レンズバリアを開く動作制御およびマイクロコンピューターのリセット処理など）が行われる。
【００５４】
撮影装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００５５】
撮影装置１００が撮影モードに移行すると、光学画像がレンズ１０１を介して撮影装置１００内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００５６】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。
【００５７】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００５８】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。
【００５９】
ディスプレイドライバ１１６は、入力される画像データ（デジタル信号）をアナログ画像信号に変換すると共に、アナログ画像信号に基づく画像のサイズを液晶ディスプレイ１１７で表示可能なサイズに調整する。
【００６０】
また、ディスプレイドライバ１１６は、液晶ディスプレイ１１７に画像を表示させるよう制御する。このとき、液晶ディスプレイ１１７に表示される画像は、ＣＣＤ１０２、ＡＤＣ１０３、および画像処理部１０４で、連続的に信号処理されて生成される画像（スルー画像）である。
【００６１】
液晶ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００６２】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介して液晶ディスプレイ１１７に表示される。また、圧縮された画像データは、カードホルダ１１４を介してメモリカード１１５に記録される。
【００６３】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５へ記録される。
【００６４】
書込み部１３０は、カーソルキー１２４により指示入力された設定情報を用いて、画像データに対して、書込みを行う。例えば、デジタルカメラの機種名や、撮影年月日、露出情報、撮影位置等が入力されたＥｘｉｆ（Exchangeable Image File Format）に対して、書込み編集を行う。
【００６５】
以上が図１に示す、本発明を実施する撮影装置１００のハードウェア構成についての説明である。
【００６６】
図２には、撮影装置１００の液晶ディスプレイ１１７に表示されるメニュー詳細画面２００が示されている。
【００６７】
メニュー詳細画面２００は、ユーザから指示された内容に応じてセキュリティを解除することで、ユーザが撮影装置１００を利用することが可能となるような設定を行うか否かを選定するための画面である。
【００６８】
メニュー詳細画面２００は、セキュリティ設定を行うか否かを選択するためのセキュリティ設定選択欄２０１、及び決定ボタン２０２を備えており、ユーザが、セキュリティ設定選択欄２０１に触れる度に、セキュリティ設定をする、しないが切り替わり、ユーザが、決定ボタン２０２に触れることで、何れかの設定を行う。
【００６９】
図３には、解除用画像登録画面３００が示されており、メニュー詳細画面２００において、ユーザが、セキュリティ設定をする、として決定ボタン２０２に触れた場合に、液晶ディスプレイ１１７に表示される画面である。
【００７０】
本発明では、撮影装置１００を利用するにあたり、セキュリティを確保するため、ユーザに対して、液晶ディスプレイ１１７に表示された所定枚数の画像データから１枚、あるいは所定枚数の画像データを選択させ、更に、その画像データに対する操作方向を検知することにより、正しい画像データが選択されると共に、正しい操作方向が検知されたか否かを判定し、選択された画像データ及び操作方向が正しい場合、撮影装置１００の利用を開始できる、といった運用を行う。
【００７１】
従って、解除用画像登録画面３００は、このような運用を行うため、正しい画像データとその画像データに対する正しい操作方向を登録するための画面である。前述した解除用画像データとは、この正しい画像データを示す。
【００７２】
解除用画像登録画面３００は、ユーザに対して、登録対象とする画像を選択させるために、撮影装置１００で撮影して得られた画像データを表示する登録画像表示領域３０１を備えており、初期起動時は、左上の登録画像表示領域３０１にフォーカスが当てられ、ユーザが、左上の登録画像表示領域３０１以外の登録画像表示領域３０１に表示された画像データを選択したい場合、その登録画像表示領域３０１に触れると、フォーカスが触れた画像データに対して移行する。
【００７３】
フォーカスがあたっているか否かについては、登録画像表示領域３０１の外枠が他の登録画像表示領域３０１と比較して、太枠として表示することで、ユーザは、識別可能である。例えば、図３に示す左上の登録画像表示領域３０１が該当する。
【００７４】
解除用画像登録画面３００は、ユーザが、フォーカスがあてられた状態で画像データに再度触れると、その画像データが選択されたことを示すために印が付与されるチェックボックスを示す登録画像選択欄３０２を備えている。また、ユーザが、登録画像選択欄３０２に印が付与された状態で、再度触れると印が外れた状態となる。
【００７５】
解除用画像登録画面３００は、操作方向を選択するための登録操作方向オブジェクト３０３を備えており、ユーザが、登録画像選択欄３０２に印が付与された状態で、登録操作方向オブジェクト３０３に触れると、その登録画像表示領域３０１に表示された画像データに対する正しい操作方向が設定できる。
【００７６】
また、１度、登録画像表示領域３０１に対して設定をした後、他の登録画像表示領域３０１にフォーカスがあたっている状態から、設定をした登録画像表示領域３０１が触れられることによって、フォーカスが触れられた登録画像表示領域３０１に移ると、移った先の登録画像表示領域３０１に対して設定された登録操作方向オブジェクト３０３が選択されていることが識別表示される。
【００７７】
そして、登録したい画像データ及び正しい操作方向が選択された後、ユーザは、解除用画像登録画面３００の登録ボタン３０４を押下すると、画像データ及び操作方向が登録される。
【００７８】
図４には、解除用画像登録画面３００において、登録対象となる画像データと操作方向が選択された状態が示されており、左上の登録画像表示領域３０１に表示された画像データが選択されており、登録操作方向オブジェクト３０３としては、上方向が選択されていることが分かる。
【００７９】
解除用画像登録画面３００において、登録ボタン３０４が触れられると、設定対象となる画像データ及び操作方向の一覧を表示する確認画面４００が液晶ディスプレイ１１７に表示される。
【００８０】
確認画面４００は、解除用画像登録画面３００において選択された画像データを表示するための選択予定表示領域４０１、解除用画像登録画面３００において選択された操作方向を表示するための操作方向予定オブジェクト４０２、ユーザが、選択予定表示領域４０１に表示された画像データ、及び操作方向予定オブジェクト４０２から特定される操作方向が、正しいと判断した際に触れるためのはいボタン４０３、正しいと判断しない際に触れるためのいいえボタン４０４を備えている。
【００８１】
ユーザが、はいボタン４０３に触れると、確認画面４００に表示された画像データと操作方向が登録され、いいえボタン４０４に触れると、解除用画像登録画面３００に画面遷移し、再度、登録のし直しを行う。
【００８２】
図６には、確認画面４００において、ユーザによって、はいボタン４０３が触れられることにより、画像データが、撮影装置１００において撮影されて得られた画像データを保管されているフォルダから、セキュリティ設定がされた画像データを保管するためのフォルダへ移動する処理を行っていることが示されている。尚、このフォルダは、メモリカード１１５に備えられており、フォルダ名を識別することにより、撮影時に得られた画像データを保管するものであるか、あるいは、セキュリティ設定がされた画像データを保管するためのものであるかを識別する。
【００８３】
図７には、撮影装置１００を利用するにあたり、ユーザに対して、画像データ及び操作方向を選択させるためのセキュリティ解除画面６００が示されており、セキュリティ解除画面６００において、ユーザによって、正しい画像データ及び操作方向が選択された場合、撮影装置１００の利用が可能となる。尚、セキュリティ解除画面６００は、液晶ディスプレイ１１７に表示される。
【００８４】
セキュリティ解除画面６００は、ユーザに対して、画像データを選択させるための解除画像表示領域６０１を備えており、ユーザが、解除画像表示領域６０１に触れるとフォーカスがあてられる。
【００８５】
セキュリティ解除画面６００の初期起動時は、左上の解除画像表示領域６０１にフォーカスが当てられ、ユーザが、左上の解除画像表示領域６０１以外の解除画像表示領域６０１に表示された画像データを選択したい場合、その解除画像表示領域６０１に触れると、フォーカスが触れた画像データに対して移行する。
【００８６】
フォーカスがあたっているか否かについては、解除画像表示領域６０１の外枠が他の解除画像表示領域６０１と比較して、太枠として表示することで、ユーザは、識別可能である。例えば、図７に示す左上の解除画像表示領域６０１が該当する。
【００８７】
セキュリティ解除画面６００は、ユーザが、フォーカスがあてられた状態で画像データに再度触れると、その画像データが選択されたことを示すために印が付与されるチェックボックスを示す解除画像選択欄６０２を備えている。また、ユーザが、解除画像選択欄６０２に印が付与された状態で、再度触れると印が外れた状態となる。
【００８８】
セキュリティ解除画面６００は、操作方向を選択するための解除操作方向オブジェクト６０３を備えており、ユーザが、解除画像選択欄６０２に印が付与された状態で、解除操作方向オブジェクト６０３に触れると、その解除画像表示領域６０１に表示された画像データに対する正しい操作方向が設定できる。
【００８９】
また、１度、解除画像表示領域６０１に対して設定をした後、他の解除画像表示領域６０１にフォーカスがあたっている状態から、設定をした解除画像表示領域６０１が触れられることによって、フォーカスが触れられた解除画像表示領域６０１に移ると、移った先の解除画像表示領域６０１に対して設定された解除操作方向オブジェクト６０３が選択されていることが識別表示される。
【００９０】
図７に示すセキュリティ解除画面６００において、画像データと操作方向が選択された状態が示されており、左上の解除画像表示領域６０１に表示された画像データが選択されており、解除操作方向オブジェクト６０３としては、上方向が選択されていることが分かる。
【００９１】
また、これらの画像データと操作方向については、解除用画像登録画面３００を用いて登録された画像データと操作方向とを用いて、解除画像表示領域６０１及び解除操作方向オブジェクト６０３に表示される。
【００９２】
セキュリティ解除画面６００において、選択された画像データ及び操作方向が正しいものである場合、つまり解除用画像登録画面３００において登録された画像データ及び操作方向が選択された場合、セキュリティを解除して、撮影装置１００の利用が開始される。
【００９３】
図８には、撮影装置１００におけるメニュー画面７００が示されており、撮影装置１００において利用可能な種々のサービスを一覧表示しており、ユーザは、メニュー画面７００に表示されたサービスから、所望するサービスに触れることによって、当該サービスを受けることができる。尚、メニュー画面７００は、撮影装置１００の液晶ディスプレイ１１７に表示される。
【００９４】
また、メニュー画面７００には、図３に示すメニュー詳細画面２００を表示するためのサービスも表示され、ユーザがこのサービスに触れて選択することにより、撮影装置１００に対するセキュリティ設定を行うか否かを決めることができる。
【００９５】
図９には、セキュリティ解除画面６００において、ユーザによって選択された画像データ及び操作方向が、正しくない場合、つまり、解除用画像登録画面３００において登録された画像データ及び操作方向が選択されなかった場合、ユーザに対して、その旨を警告するための警告画面８００を示している。尚、警告画面８００は、撮影装置１００の液晶ディスプレイ１１７に表示される。
【００９６】
ユーザは、警告画面８００に表示された内容、つまり、セキュリティ解除画面６００において、選択した画像データ及び操作方向が、正しくない旨を認識すると、再度、セキュリティ解除画面６００で、画像データ及び操作方向を選択するため、警告画面８００のＯＫボタン８０１に触れる。そして、セキュリティ解除画面６００を液晶ディスプレイ１１７に表示し、ユーザは、再度、画像データ及び操作方向を選択し直す。
【００９７】
図１０は、解除用画像登録画面３００を示しており、解除用画像登録画面３００は、既に、セキュリティ設定を行った画像データのセキュリティ設定を解除する機能を備え、解除対象とする画像データに触れた状態で、当該画像データが表示された登録画像表示領域３０１の範囲外へ移動させることで、画像データのセキュリティ設定を解除することができ、解除された画像データは、解除用画像登録画面３００において、非表示状態となる。
【００９８】
例えば、図１０に示すように、左上の登録画像表示領域３０１に表示された画像データに触れた状態のまま、登録画像表示領域３０１の範囲外に、当該画像データを移動させると、当該画像データに設定されたセキュリティの設定が解除すると見做され、解除用画像登録画面３００において非表示状態となる。
【００９９】
一方、当該画像データに設定されたセキュリティの設定を解除する際に、解除用画像登録画面３００に削除ボタン（不図示）を設け、削除対象となる画像データを選択した状態で、削除ボタンを押下することで、解除することも可能である。
【０１００】
図１１は、本発明の実施形態に係る撮影装置１００に於いて、撮影装置１００に対してセキュリティ設定を行う処理を示すフローチャートであり、本フローチャートにおける各処理ステップは、システムコントローラ１１０の制御の下、処理が実行される。
【０１０１】
まず、ステップＳ１００に進む前に、撮影装置１００に対して既にセキュリティ設定がなされている場合、セキュリティが解除された後、メニュー画面７００が表示され、サービスの中からセキュリティ設定に関するサービスが選択されたことが前提となり、一方、撮影装置１００に対して既にセキュリティ設定がなされていない場合、セキュリティの解除を行わず、メニュー画面７００が表示され、サービスの中からセキュリティ設定に関するサービスが選択されたことが前提となる。
【０１０２】
尚、セキュリティ設定とは、前述したように、ユーザが、撮影装置１００を利用するに当たり、正しい画像データ及び正しい画像データに対する操作方向を選択した場合のみ撮影装置１００の利用を開始することができる、という設定を行うことを、基本的には示している。
【０１０３】
ステップＳ１００では、メニュー詳細画面２００のセキュリティ設定選択欄２０１に対して、セキュリティ設定を行う指示入力を受付けたか否かを判定し、受付けたと判定した場合、ステップＳ１０１へ処理を進め、受付けたと判定しない場合は、処理を終了する。
【０１０４】
本ステップにおける判定方法は、セキュリティ設定選択欄２０１が、セキュリティ設定をする、が選択された状態で、決定ボタン２０２が触れられると、セキュリティ設定を行う指示入力を受付けたと判定し、セキュリティ設定選択欄２０１が、セキュリティ設定をしない、が選択された状態で、決定ボタン２０２が触れられると、セキュリティ設定を行う指示入力を受付けたと判定しない。
【０１０５】
ステップＳ１０１では、前述したように、メモリカード１１５に存在する、セキュリティ設定がされた画像データ（解除用画像データ、正しい画像データに同じ）を保管するためのフォルダに、画像データが存在するか否かを判定し、存在すると判定した場合、ステップＳ１０２へ処理を進め、存在すると判定しない場合は、ステップＳ１０４へ処理を進める。
【０１０６】
本ステップでは、当該フォルダに画像データが存在する場合であっても、登録対象とする画像データの変更を行う場合、変更指示を受付けるための画面（不図示）を液晶ディスプレイ１１７に表示し、変更の指示がユーザによってなされた場合、ステップＳ１０４へ処理を進め、変更の指示を行わない旨を受付けた場合、ステップＳ１０２へ処理を進める。
【０１０７】
あるいは、ステップＳ１００において、変更指示を受付けるための画面（不図示）を表示し、変更の指示がユーザによってなされた場合、ステップＳ１０４へ処理を進め、変更の指示を行わない旨を受付けた場合、ステップＳ１０２へ処理を進める態様をとることも可能である。
【０１０８】
ステップＳ１０２では、撮影装置１００に対してセキュリティ設定を行うことを示す情報を図１４に示すセキュリティ設定テーブルに記憶する。
【０１０９】
セキュリティ設定テーブルは、撮影装置１００においてセキュリティ設定を行うか否かを記憶するためのテーブルであり、セキュリティ設定を行う場合、ＯＮを記憶し、セキュリティ設定を行わない場合、ＯＦＦを記憶する。
【０１１０】
ステップＳ１０２が終了すると、ステップＳ１０３へ処理を進め、ステップＳ１０３では、メニュー画面７００を表示する。
【０１１１】
ステップＳ１０４では、セキュリティを解除する際に必要とする画像データの登録を行う処理を実行するが詳細については、図１２を用いて説明する。そして、本処理が終了すると、ステップＳ１０２へ処理を進める。
【０１１２】
図１２には、セキュリティを解除する際に必要とする画像データの登録を行う処理を示すフローチャートが示されており、本フローチャートにおける各処理ステップは、システムコントローラ１１０の制御の下、処理が実行される。
【０１１３】
ステップＳ２００では、セキュリティを解除する際に、ユーザ選択させるための画像データを取得するため、撮影時に得られた画像データを保管するメモリカード１１５に存在するフォルダから当該画像データを取得する。尚、各画像データには、画像データを一意に識別するための情報、例えば、ファイル名が付帯されている。
【０１１４】
ステップＳ２０１では、ステップＳ２００において取得した画像データが、連続撮影によって撮影された画像データである場合（動画、所定時間以内で撮影した枚数が所定枚数を超える、１度の撮影操作で複数回の撮影が連続して行われる場合等）、ステップＳ２０２へ処理を進め、動画等の連続撮影によって撮影された画像データでない場合、ステップＳ２０３へ処理を進める。
【０１１５】
ステップＳ２０２では、ステップＳ２００で取得した連続撮影によって撮影された画像データのうち、最もピントの合った画像データを取得する。尚、最もピントの合った画像データが複数存在する場合は、例えば、最先に撮影して得られた画像データを取得し、それ以外を非表示とする旨の情報をバッファメモリ１１１へ記憶する。
【０１１６】
ステップＳ２０３では、ステップＳ２０２で取得した画像データと、ステップＳ２００において取得した画像データのうち、ステップＳ２０１において連続撮影によって撮影されなかったと見做された画像データと、を用いて、各画像データに人の顔が存在するか否かを判定し、存在すると判定しない場合、ステップＳ２０４へ処理を進め、存在すると判定した場合、ステップＳ２０５へ処理を進める。
【０１１７】
ステップＳ２０４では、ステップＳ２０２で取得した画像データと、ステップＳ２００において取得した画像データのうち、ステップＳ２０１において連続撮影によって撮影されなかったと見做された画像データと、を用いて、同じような構図が存在した場合は、そのうちの１つの画像データを表示可とし、それ以外の同じような構図の画像データを非表示とする旨を示す情報をバッファメモリ１１１に記憶する。
【０１１８】
ステップＳ２０５では、ステップＳ２０２で取得した画像データと、ステップＳ２００において取得した画像データのうち、ステップＳ２０１において連続撮影によって撮影されなかったと見做された画像データと、を用いて、画像データに含まれる人の顔枠の座標、大きさ、数が類似している場合は、そのうちの１つの画像データを表示可とし、それ以外の類似した画像データを非表示とする旨を示す情報をバッファメモリ１１１に記憶する。
【０１１９】
尚、前述の人の顔枠の座標、大きさ、数については、任意の値を用いて、其々の画像データ間における人の顔枠の座標、大きさ、数の差を求め、任意の値の範囲内であるか否かによって求めても良い。
【０１２０】
ステップＳ２０６では、セキュリティを解除する際に必要とする画像データの表示可能な枚数が所定枚数以上であるか否かを判定して、所定枚数以上であると判定した場合、ステップＳ２０７へ処理を進め、所定枚数以上であると判定しない場合、ステップＳ２１０へ処理を進める。
【０１２１】
本ステップにおける判定方法としては、ステップＳ２０４及びステップＳ２０５において、バッファメモリ１１１に記憶した表示可、あるいは非表示とする旨を示す情報を用いればよい。
【０１２２】
ステップＳ２０７では、解除用画像登録画面３００を表示すると共に、表示可と判定した画像データを登録画像表示領域３０１へ表示した後、登録ボタン３０４が触れられたことを検知すると、ユーザによって登録対象として選択された画像データ、つまり、登録画像選択欄３０２に印がなされたものを取得し、ステップＳ２０８では、ステップＳ２０７において取得した画像データに対する操作方向、つまり、選択された登録操作方向オブジェクト３０３を取得する。
【０１２３】
そして、確認画面４００に取得した画像データ及び操作方向を用いて、選択予定表示領域４０１、及び操作方向予定オブジェクト４０２に対して表示を行い、はいボタン４０３が触れられるとステップＳ２０９へ処理を進め、いいえボタン４０４が触れられると、処理を終了する。尚、選択可能な画像データの上限数は、任意で設定できるものとする。
【０１２４】
ステップＳ２０９では、ステップＳ２０７及びステップＳ２０８で取得した画像データを、セキュリティ設定がされた画像データを保管するためのフォルダへ移動する。この移動中には図６に示す画像データが移動中であることを示す画面が表示される。
【０１２５】
そして、移動が完了すると、図１４に示す登録画像テーブル及びダミー画像テーブルに、移動した画像データに関する情報を記憶する。
【０１２６】
登録画像テーブルは、セキュリティの解除を行う際に、ユーザに対して選択させる画像データのうち正しい画像データに関する情報を記憶するテーブルを示しており、セキュリティ設定がされた画像データ（ファイル名等）を示す登録画像データ（正しい画像データ、解除用画像データに同じ）、及びセキュリティ設定がされた画像データに対する操作方向を示す登録方向の項目を含む構成を備える。
【０１２７】
本ステップでは、ステップＳ２０９において移動したデータのうち、ステップＳ２０７で取得した画像データ及びステップＳ２０８で取得した登録操作方向オブジェクト３０３から特定される操作方向を記憶する。
【０１２８】
ダミー画像テーブルは、セキュリティ設定がされた画像データ以外の画像データを記憶するためのテーブルであり、セキュリティ設定がされた画像データ以外の画像データ（ファイル名等）を示すダミー画像データ、ダミー画像データは表示可あるいは非表示であることを示す表示可否フラグを備えている。
【０１２９】
ステップＳ２０７及びステップ２０８において選択されなかった画像データ（ファイル名等）、あるいはステップＳ２０４及びステップＳ２０５において非表示とされた画像データ（ファイル名等）をダミー画像データへ記憶し、表示可否フラグには、ステップＳ２０４及びステップＳ２０５において、バッファメモリ１１１に表示可あるいは非表示とする旨を示す情報を用いて記憶すればよい。
【０１３０】
ステップＳ２１０では、表示可能な画像データが不足していることを示す警告画面（不図示）を液晶ディスプレイ１１７へ表示し、処理を終了する。
【０１３１】
図１３には、撮影装置１００を利用するにあたり、セキュリティを解除する処理を示すフローチャートが示されており、本フローチャートにおける各処理ステップは、システムコントローラ１１０の制御の下、処理が実行される。
【０１３２】
ステップＳ３００では、セキュリティ解除画面６００を表示すると共に、解除画像表示領域６０１に対して、ステップＳ２０９において移動した先のフォルダに保管された登録画像テーブルの登録画像データから特定される画像データ１枚取得し、また、ダミー画像テーブルのダミー画像データから特定される３枚の表示可能な画像データを取得して、表示する。
【０１３３】
ステップＳ３０１では、４つの解除画像表示領域６０１のうち、ユーザによって触れられた解除画像表示領域６０１、つまり解除画像選択欄６０２に印が付与された状態で、操作方向の指示入力がなされると、その画像データ及び操作方向を取得する。
【０１３４】
ステップＳ３０２では、ステップＳ３０１で取得した画像データと操作方向が正しいものであるか否かを判定し、正しいものであると判定した場合は、ステップＳ３０３へ処理を進め、正しいものであると判定しない場合は、ステップＳ３０４へ処理を進める。
【０１３５】
尚、本ステップにおける判定方法の一例として、ステップＳ３０１で取得した画像データと操作方向とが、登録画像テーブルに存在するか否かを判定し、存在すると判定した場合、正しいものであると判定して、存在すると判定しない場合、正しいものでないと判定する。
【０１３６】
ステップＳ３０３では、セキュリティを解除する、つまり、撮影装置１００の利用が開始され、メニュー画面７００が表示され、ステップＳ３０４では、選択した画像データと操作方向が正しくない旨を示す情報を、警告画面８００を用いて表示する。
【０１３７】
尚、本フローチャートは、登録画像テーブルに登録された登録画像データの数の分だけ繰り返し行うことが可能であり、更に、登録画像データの数に範囲内で、所定回数繰り返すことも可能である。
【０１３８】
更に、本実施形態では、タッチパネル式の撮影装置を前提に記載したが、この態様に限らず、カーソルキー１２４を用いて、液晶ディスプレイ１１７に表示されたカーソルを動作させ、登録画像表示領域３０１、及び解除画像表示領域６０１に当該カーソルを当てた状態で、カーソルキー１２４を押下することで選択状態とし、更に、カーソルを登録操作方向オブジェクト３０３、及び解除操作方向オブジェクト６０３にあてて、登録、解除を行う態様をとることで、画像データ及び操作方向を登録、及び選択してセキュリティ解除を行うことも可能である。
［第２の実施形態］
【０１３９】
次に、第２の実施形態について説明する。第１の実施形態では、撮影装置１００の利用にあたり、登録画像データとダミー画像データとを表示して、選択した画像データと当該画像データに対する操作方向が正しい場合、セキュリティの解除を行うことで、撮影装置１００を利用することを可能としたが、第２の実施形態では、選択した画像データが正しく、操作方向が誤っている場合、撮影装置１００に備えた一部の機能を利用可能とするものである。
【０１４０】
例えば、インターネットやメール利用等のためのアプリケーションであれば、利用ユーザの個人情報等の機密性の高い情報を扱うことから、セキュリティを高めに設定し、一方、撮影して得られた画像を参照する等を行うためのアプリケーションであれば、第三者に対して開示しても問題とならないような機密性の低いものとして扱うことから、セキュリティを低めに設定することが考えられる。
【０１４１】
特に、すぐにでも撮影装置１００を利用したい場合、選択した画像データが正しくとも、操作方向が誤りであれば、再度、ユーザが、画像データを選択して、操作方向を指示する作業を行うことは、撮影装置１００の利用までに要する時間がかかるとともに、作業の煩わしさが残ってしまうことは否めない。
【０１４２】
但し、このような認証機能を全てなくしてしまうこととなると、第三者の悪用等を招くことから、ある程度のセキュリティを確保する必要性があるため、本実施形態では、これらの問題を解決することを主な目的とした態様をとる。
【０１４３】
基本的に、第１の実施形態と同様な構成及び処理を備えるため、説明を省略し、同一の構成及び処理を用いて説明を行う場合は、同一の符号を用いて説明を行う。
【０１４４】
図１５には、図１１に示す、撮影装置１００に対してセキュリティ設定を行う処理を改良した処理を示すフローチャートであり、第１の実施形態とは、ステップＳ４００の処理が異なる。
【０１４５】
ステップＳ１００において、メニュー詳細画面２００のセキュリティ設定選択欄２０１に対して、セキュリティ設定を行う指示入力を受付けると、ステップＳ４００では、撮影装置１００に導入されたアプリケーションのうち、機密性の高いアプリケーションを選択するための重要アプリケーション選択画面９００（図１７参照）を液晶ディスプレイ１１７へ表示する。
【０１４６】
重要アプリケーション選択画面９００は、撮影装置１００に導入されたアプリケーションに対して、機密性の高い、重要なアプリケーションを選択するための機密性チェックボックス９０１、撮影装置１００に導入されたアプリケーションを表示するアプリケーション表示リスト９０２を備えており、アプリケーション表示リスト９０２に表示されたアプリケーションに対応して、機密性チェックボックス９０１が表示されている。
【０１４７】
ユーザは、機密性の高いアプリケーションを選択するために、当該アプリケーションに対応する機密性チェックボックス９０１（あるいはアプリケーション表示リスト９０２）に触れることにより、機密性チェックボックス９０１にチェック印が入力され、選択を行う。
【０１４８】
そして、ユーザは、アプリケーションの選択を終えた後、適用ボタン９０３に触れることで、機密性チェックボックス９０１にチェック印が入力されたアプリケーションを、機密性の高いアプリケーションとして登録を行う。
【０１４９】
この登録先は、選択した正しい画像データに対する操作方向の正誤に応じた、起動可能なアプリケーションを特定するための起動アプリ特定情報を記憶する起動対象アプリ特定テーブル（図１８参照）である。
【０１５０】
この起動対象アプリ特定テーブルには、画像データの選択が正しいか、誤りであるかを示す画像選択ＯＫ・ＮＧ、操作方向が正しいか、誤りであるかを示す操作方向ＯＫ・ＮＧ、画像データの選択と操作方向の正しさに応じて起動可能なアプリケーション、つまり、機密性の高いアプリケーションか、機密性の低いアプリケーションかの特定を行うための起動可能アプリケーション名称を備えている。
【０１５１】
画像選択ＯＫ・ＮＧのデータが、画像選択ＯＫ、つまり画像データの選択が正しく、操作方向ＯＫ・ＮＧのデータが、操作方向ＯＫ、つまり操作方向が正しければ、機密性の高いものを含むアプリケーションを起動することが可能となるので、そのアプリケーションを識別するための情報として、アプリケーション名称を記憶している。
【０１５２】
本実施形態では、ＡＡＡＡ、ＢＢＢＢが機密性の高いアプリケーションであり、機密性の低いＣＣＣＣ、ＤＤＤＤも起動することが可能であることを示している。
【０１５３】
画像選択ＯＫ・ＮＧのデータが、画像選択ＯＫ、つまり画像データの選択が正しく、操作方向ＯＫ・ＮＧのデータが、操作方向ＮＧ、つまり操作方向が誤りである場合は、機密性の低いアプリケーション（ＣＣＣＣ、ＤＤＤＤ）を起動することが可能であることを示している。
【０１５４】
そして、このような登録を終えると、第１の実施形態と同様に、ステップＳ１０１以後の処理を行う。
【０１５５】
次に、図１６には、図１３に示す、撮影装置１００を利用するにあたり、セキュリティを解除する処理を改良した処理を示すフローチャートが示されており、第１の実施形態とは、ステップＳ５００からステップＳ５０４までの処理が異なる。
【０１５６】
ステップＳ５００では、ステップＳ３０１で取得した画像データが正しいものであるか否かを判定し、正しいものであると判定した場合は、ステップＳ５０１へ処理を進め、正しいものであると判定しない場合は、ステップＳ３０４へ処理を進める。
【０１５７】
ステップＳ５０１では、ステップＳ３０１で取得した操作方向が正しいものであるか否かを判定し、正しいものであると判定した場合は、ステップＳ５０２へ処理を進め、正しいものであると判定しない場合は、ステップＳ５０３へ処理を進める。
【０１５８】
ステップＳ５０２では、メニュー画面７００へ表示するメニュー情報を作成する。メニュー情報の作成にあたり、起動対象アプリ特定テーブルを読み込むが、ステップＳ５０１及びステップＳ５０２において、選択した画像データと操作方向と、が正しいとして判断されたため、画像選択ＯＫ・ＮＧが、画像選択ＯＫ、及び操作方向ＯＫ・ＮＧが、操作方向ＯＫに対応する起動可能アプリケーション名称に登録されたデータ、ＡＡＡＡ、ＢＢＢＢ、ＣＣＣＣ、ＤＤＤＤを取得する。
【０１５９】
そして、このアプリケーション名称を取得すると、そのアプリケーションを起動するためのメニュー情報の作成を行う。
【０１６０】
メニュー画面７００の表示例を図２４の上段に示すが、このメニュー画面７００は、図８に示すメニュー画面と同一の構成を有しており、表示内容が異なっている。
【０１６１】
つまり、メニュー画面７００から起動可能なアプリケーションが表示されており、本実施形態では、ＡＡＡＡ、ＢＢＢＢ、ＣＣＣＣ、ＤＤＤＤが表示されており、ユーザは、起動を望むアプリケーションに触れて選択を行うと、図１８に示す起動アプリ実行用テーブルを読み込んで、起動対象となるアプリケーションの実行ファイルを起動する。
【０１６２】
起動アプリ実行用テーブルは、アプリケーション名称に対応するメニュー表示タイトル、アプリケーションを起動させるための実行ファイルを特定するための起動アプリケーションを備えている。
【０１６３】
例えば、ユーザが、メニュー画面７００に表示されたＡＡＡＡを選択すると、ＡＡＡＡを識別するための情報として、アプリケーション名称であるＡＡＡＡをメニュー画面７００から取得し、このＡＡＡＡに該当する起動アプリ実行用テーブルのメニュー表示タイトルのＡＡＡＡに対応する起動アプリケーション（ファイル名等）であるＸＸＸ.ｐｐｐを取得して、撮影装置１００に備えたＸＸＸ.ｐｐｐのファイル名称を有する実行ファイルを実行することで、アプリケーションを起動する。
【０１６４】
尚、本ステップでは、起動対象アプリ特定テーブルに、画像選択ＯＫ・ＮＧが画像選択ＯＫ、及び操作方向ＯＫ・ＮＧが操作方向ＯＫを登録する態様を示しているが、このように正しい画像が選択されて、かつ正しい操作方向であれば、撮影装置１００に導入された全てのアプリケーションを利用可能として、当該データを備えずに態様する構成も想定される。この場合、起動対象アプリ特定テーブルを読み込まず、全てのアプリケーションを表示するようなメニュー情報の生成を行う。
【０１６５】
ステップＳ５０３では、メニュー画面７００へ表示するメニュー情報を作成する。メニュー情報の作成にあたり、起動対象アプリ特定テーブルを読み込むが、ステップＳ５０１及びステップＳ５０２において、選択した画像データが正しく、操作方向が誤りとして判断されたため、画像選択ＯＫ・ＮＧが、画像選択ＯＫ、及び操作方向ＯＫ・ＮＧが、操作方向ＮＧに対応する起動可能アプリケーション名称に登録されたデータ、ＣＣＣＣ、ＤＤＤＤを取得する。
【０１６６】
そして、このアプリケーション名称を取得すると、そのアプリケーションを起動するためのメニュー情報の作成を行う。
【０１６７】
メニュー画面７００の表示例を図２４の下段に示すが、このメニュー画面７００は、図８及び図２４の上段に示すメニュー画面と同一の構成を有しており、表示内容が異なっている。
【０１６８】
つまり、ユーザが起動可能なアプリケーションとして、機密性の低いＣＣＣＣ、ＤＤＤＤがメニュー画面７００に表示されており、機密性の高いＡＡＡＡ、ＢＢＢＢについては、表示を行わない態様をとる。以後、このメニュー画面７００から実行すべくアプリケーションの起動方法は前述した通りである。
【０１６９】
尚、メニュー画面７００の表示方法であるが、セキュリティ解除画面６００をメニュー画面７００のアプリケーション名称が表示された状態を保つ領域へ表示しておき、画像データの選択、及び操作方向を受付け、画像データが正しいと判断した状態で、機密性の低いアプリケーション（ＣＣＣＣ、ＤＤＤＤ）を表示し、正しい操作方向を受付けたタイミングで、機密性の低いアプリケーション（ＣＣＣＣ、ＤＤＤＤ）を表示する態様でも良い。
【０１７０】
この場合、ステップＳ５００の処理の後、機密性の高いアプリケーションを特定して、メニュー画面情報を生成して、メニュー画面７００を表示し、その後、ステップＳ５０１の処理を行い、操作方向が正しければ、機密性の高いアプリケーション（ＡＡＡＡ、ＢＢＢＢ）を特定して、メニュー画面情報を生成して、メニュー画面７００を表示する。
［第３の実施形態］
【０１７１】
次に、第３の実施形態について説明する。第１の実施形態では、登録画像データは、撮影装置１００の利用に対するものに留まるものであったが、本実施形態では、アプリケーションごとに、登録画像データとダミー画像データとを表示して、認証を行わせる態様をとる。従って、アプリケーションで使用された画像データを登録画像データとして登録する態様を説明する。
【０１７２】
基本的に、第１の実施形態と同様な構成及び処理を備えるため、説明を省略し、同一の構成及び処理を用いて説明を行う場合は、同一の符号を用いて説明を行う。
【０１７３】
図１９には、図１１に示す、撮影装置１００に対してセキュリティ設定を行う処理を改良した処理を示すフローチャートであり、第１の実施形態とは、ステップＳ６００の処理が異なる。
【０１７４】
ステップＳ１００において、メニュー詳細画面２００のセキュリティ設定選択欄２０１に対して、セキュリティ設定を行う指示入力を受付けると、ステップＳ６００では、撮影装置１００に導入されたアプリケーションのうち、何れのアプリケーションに対して、セキュリティの設定を行うかを選択するためのセキュリティ設定アプリケーション選択画面１０００（図２２参照）を液晶ディスプレイ１１７へ表示する。
【０１７５】
セキュリティ設定アプリケーション選択画面１０００は、撮影装置１００に導入されたアプリケーションを一意に識別するためのＮＯを示すアプリケーションＩＤ１００１、アプリケーションの名称を示す対象アプリケーション１００２、当該アプリケーションに対して既にセキュリティ設定を行ったか否かを示すセキュリティ設定状況１００３、及びセキュリティ設定アプリケーション選択画面１０００を閉じるための閉じるボタン１００４を備えている。
【０１７６】
尚、このセキュリティ設定状況１００３は図２３に示すセキュリティ設定テーブルに登録がなされていればセキュリティ設定がなされていると判定して「済」とし、登録がなされていなければ「未」として表示を行っている。
【０１７７】
このセキュリティ設定テーブルは、アプリケーションを識別するためのアプリケーション名称、当該アプリケーションに対して、セキュリティ設定を行ったか否かを示す、ＯＮ／ＯＦＦを備えている。
【０１７８】
つまり、セキュリティ設定テーブルにＯＮが設定されている場合は、「済」とし、ＯＦＦが設定されている場合は、「未」として表示を行う。
【０１７９】
本ステップでは、例えば、ユーザが、セキュリティ設定アプリケーション選択画面１０００に表示された対象アプリケーション１００２に触れることで選択を行うと、選択されたアプリケーションを識別する情報、つまりアプリケーション名称であるＡＡＡＡを取得する。
【０１８０】
そして、このような選択を終えると、第１の実施形態と同様に、ステップＳ１０１以後の処理を行う。
【０１８１】
次に、図２０には、図１２に示す、セキュリティを解除する際に必要とする画像データの登録を行う処理を改良した処理を示すフローチャートが示されており、第１の実施形態とは、ステップＳ７００の処理が異なる。
【０１８２】
ステップＳ７００では、ステップＳ６００において取得したアプリケーション名称に対応するアプリケーションで使用されていた画像データの取得を行う。
【０１８３】
第１の実施形態では、撮影装置１００に存在する画像データを対象としていたが、本実施形態では、ユーザ自身がアプリケーションで使用していた画像データを用いて、当該アプリケーションのセキュリティ設定を行う。
【０１８４】
ユーザは、過去にアプリケーション上で作業を行った画像データであれば、当該アプリケーションとそのアプリケーションで使用していた画像データは連想し易いことが想定されるため、このような画像データを、当該アプリケーションを利用する際の認証に用いることで、セキュリティを保ちつつ、ユーザが利用し易い（自身の記憶に残りやすい）ように、配慮した態様をとる。
【０１８５】
アプリケーションで利用した画像データを特定するには、アプリケーションが起動されている際に出力されるログから特定することが可能であるため、このログの情報に基づいて、図２３に示す利用画像テーブルを作成する。
【０１８６】
利用画像テーブルは、アプリケーションの名称を示すアプリケーション名称、アプリケーションで利用されていた画像データのファイル名を示す利用画像を備えており、これらの利用画像情報は、アプリケーションを閉じたタイミングで作成しても良いし、定期的なタイミングで作成しても良い。但し、何れのアプリケーションで何れの画像データを用いていたかを示す情報をログとして出力されていることが前提となる。
【０１８７】
本ステップでは、例えば、ステップＳ６００において、アプリケーション名称ＡＡＡＡを取得したとすると、ＡＡＡＡに該当する利用画像テーブルの利用画像として、ｋｋｋｋ.ｊｐｇ、ｔｔｔ.ｊｐｇ、ｓｓｓｓ.ｊｐｇを取得する。
【０１８８】
そして、このように画像データを取得すると、第１の実施形態と同様に、ステップＳ２０１以後の処理を行う。
【０１８９】
尚、ステップＳ２０９では、登録画像テーブルへ登録画像データを記憶するが、本実施形態では、アプリケーションごとに登録画像データの登録を行うため、その構成を、図２３に示すように、図１４に示す構成に対してアプリケーション名称を追加し、この登録画像テーブルへステップＳ６００で取得したアプリケーション名称を含めて登録画像データの登録を行う。
【０１９０】
次に、図２１には、図１３に示す、撮影装置１００を利用するにあたり、セキュリティを解除する処理を改良した処理を示すフローチャートが示されており、第１の実施形態とは、ステップＳ８００及びステップＳ８０１が異なる。
【０１９１】
ステップＳ８００では、メニュー画面７００から選択されたアプリケーションを受付けることで、起動対象とするアプリケーションを特定し、ステップＳ８０１では、ステップＳ８００において受付けたアプリケーションに対応する登録画像データを図２３に示す登録画像テーブルから取得する。
【０１９２】
例えば、ユーザが、メニュー画面７００のアプリケーション名称ＡＡＡＡに触れて選択を行うと、ＡＡＡＡを識別するための情報として、アプリケーション名称であるＡＡＡＡをメニュー画面７００から取得し、このＡＡＡＡに該当する登録画像テーブルのデータを特定する。
【０１９３】
これによって、第１の実施形態と同様に、ステップＳ３００以後の処理を行うための登録画像データと操作方向とを特定することが可能となる。
【０１９４】
また、本実施形態では、アプリケーションごとに登録画像データを用いたが、この態様に留まることなく、例えば、図２５に示すようにセキュリティ設定アプリケーション選択画面１０００に選択済みチェックボックス１００５、及び適用ボタン１００６を設けて、セキュリティ設定の対象とする複数のアプリケーションに対して一括して設定を行うことを可能とする態様をとることも可能である。
【０１９５】
ユーザは対象となるアプリケーションをセキュリティ設定アプリケーション選択画面１０００に触れて選択すると、選択済みチェックボックス１００５に印が付与され、その後、適用ボタン１００６に触れて押下すると、選択済みチェックボックス１００５に印が付与されたアプリケーションに対してセキュリティ設定を行う。
【０１９６】
この場合、ステップＳ７００では、全ての選択されたアプリケーションで利用していた全ての画像データを利用画像テーブルから取得して以後の処理を行い、ステップＳ２０９では、それぞれのアプリケーション名称に対して、同じ登録画像データと登録方向とを登録する。
【０１９７】
一方、全て同じ登録画像データと登録方向とを用いずに、ステップＳ７００からステップＳ２０９までの処理を、選択したアプリケーション、１つ１つに対して処理を行い、それぞれ異なる登録画像データと登録方向とを一連の流れで登録することも可能である。
【０１９８】
尚、同じ登録画像データ及び登録方向が登録されていることが分かるように、セキュリティ設定アプリケーション選択画面１０００で識別可能なように表示を行っても良い。
【０１９９】
更に、既に、セキュリティ設定状況が済のものでも、セキュリティ設定アプリケーション選択画面１０００で選択された場合であっても、再度、設定し直しを行っても良いし、一度、解除してから、再度、設定を行う態様をとっても良い。
【０２００】
尚、解除の方法としては、図１０に示す解除用画像登録画面３００を用いて、登録画像表示領域３０１の範囲外に、全ての画像データを移動させた後、登録ボタン３０４に触れて押下したタイミングで、セキュリティ設定テーブルのＯＮ／ＯＦＦをＯＦＦに設定する。
【０２０１】
あるいは、解除用画像登録画面３００にセキュリティ設定無効化ボタン（不図示）を備え、当該セキュリティ設定無効化ボタンが押下されたタイミングで、セキュリティ設定テーブルのＯＮ／ＯＦＦをＯＦＦに設定する。
【０２０２】
一方、当該画像データに設定されたセキュリティの設定を解除する際に、解除用画像登録画面３００に削除ボタン（不図示）を設け、削除対象となる画像データを選択した状態で、削除ボタンを押下することで、解除することも可能である。
【０２０３】
そして、ステップＳ１０２では、セキュリティ設定を行ったアプリケーションに対しては、セキュリティ設定テーブルのＯＮ／ＯＦＦをＯＮにして登録を行う。
【０２０４】
以上、本発明によれば、ユーザが、撮影装置を利用する際に、複数の画像データから適切な画像データとその画像データに対する操作方向を用いて、セキュリティの解除を行うことで、セキュリティの向上を図ると共に、ユーザに対して、より利用のし易い、セキュアな撮影装置の提供が可能となる。
【０２０５】
また、本発明は、撮影装置を用いた態様を説明したが、本願発明をパーソナルコンピュータ等の情報処理装置に適用可能な事は言うまでもない。
【０２０６】
また、本発明におけるプログラムは、各処理方法をコンピュータが実行可能（読取可能）なプログラムであり、本発明の記憶媒体は、各処理方法をコンピュータが実行可能なプログラムが記憶されている。
【０２０７】
なお、本発明におけるプログラムは、各装置の処理方法ごとのプログラムであってもよい。
【０２０８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０２０９】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０２１０】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０２１１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２１２】
また、本発明は、システムあるいは装置にプログラムを供給することによって達成される場合にも適応できることは言うまでもない。
【０２１３】
この場合、本発明を達成するためのプログラムを格納した記録媒体を該システムあるいは装置に読み出すことによって、そのシステムあるいは装置が、本発明の効果を享受することが可能となる。
【０２１４】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０２１５】
１００    撮影装置
１０１    レンズ
１０２    撮像素子
１０３    カメラ信号処理部
１０４    画像処理部
１０５    前処理部
１０６    ＹＣ処理部
１０７    電子ズーム処理部
１０８    圧縮部
１０９    伸長部
１１０    システムコントローラ
１１１    バッファメモリ
１１２    フラッシュメモリ
１１３    Ｉ／Ｆ回路
１１４    カードホルダ
１１５    メモリカード
１１６    ディスプレイドライバ
１１７    ディスプレイ
１１８    サウンドドライバ
１１９    スピーカ
１２０    操作部
１２１    電源スイッチ
１２２    モードダイヤル
１２３    撮影ボタン
１２４    カーソルキー
１２５    ズームボタン
１２６    閲覧ボタン
１２７    レンズ制御部
１２８    ＬＥＤドライバ
１２９    ランプ
【図１】
2014115982.tif 000003
【図２】
2014115982.tif 000004
【図３】
2014115982.tif 000005
【図４】
2014115982.tif 000006
【図５】
2014115982.tif 000007
【図６】
2014115982.tif 000008
【図７】
2014115982.tif 000009
【図８】
2014115982.tif 000010
【図９】
2014115982.tif 000011
【図１０】
2014115982.tif 000012
【図１１】
2014115982.tif 000013
【図１２】
2014115982.tif 000014
【図１３】
2014115982.tif 000015
【図１４】
2014115982.tif 000016
【図１５】
2014115982.tif 000017
【図１６】
2014115982.tif 000018
【図１７】
2014115982.tif 000019
【図１８】
2014115982.tif 000020
【図１９】
2014115982.tif 000021
【図２０】
2014115982.tif 000022
【図２１】
2014115982.tif 000023
【図２２】
2014115982.tif 000024
【図２３】
2014115982.tif 000025
【図２４】
2014115982.tif 000026
【図２５】
2014115982.tif 000027